(57)【要約】【課題】送話側の通信装置が受話側の通信装置に対して送信する送話音声の品質を、受話側の通信装置において調整する。【解決手段】送話側通信装置１は、受話側通信装置２へ音声信号を送信する送信部３１と、送信部３１から送信する音声信号が示す音声の品質を調整することを命じる要求信号を受話側通信装置２から受信する受信部３２と、受信部３２が受信した要求信号に従って上記品質を調整するデジタル信号処理部１３およびＡＤ変換部１４とを備えている。【選択図】図１
2010273017.tif 000002
【特許請求の範囲】
【請求項１】
音声通信可能に受話側の通信装置と接続する送話側の通信装置であって、
上記受話側の通信装置へ音声信号を送信する音声信号送信部と、
上記音声信号送信部から送信する音声信号が示す音声の品質を調整することを命じる要求信号を上記受話側の通信装置から受信する受信部と、
上記受信部が受信した要求信号に従って上記品質を調整する調整部とを備えることを特徴とする通信装置。
【請求項２】
上記調整部が上記品質の調整を終えた場合に、その旨を示す調整完了信号を生成する調整完了信号生成手段と、
上記調整完了信号生成手段が生成した調整完了信号を上記受話側の通信装置へ送信する調整完了信号送信部とをさらに備えることを特徴とする請求項１に記載の通信装置。
【請求項３】
上記受信部が受信した要求信号が示す要求を使用者に報知する報知部と、
使用者から上記要求を実行するかどうかの指示を受け付ける入力部と、
上記入力部を介して入力された指示が上記要求を実行しないことを示す場合、上記調整部は、上記要求に応じた上記品質の調整を行わないことを特徴とする請求項１または２に記載の通信装置。
【請求項４】
上記入力部から入力された指示が上記要求を実行しないことを示す場合に、その旨を示す実行不可信号を生成する実行不可信号生成手段をさらに備え、
上記実行不可信号生成手段が生成した実行不可信号を上記受話側の通信装置へ送信する実行不可信号送信部をさらに備えることを特徴とする請求項３に記載の通信装置。
【請求項５】
上記調整部は、上記音声の音量を調整することを特徴とする請求項１に記載の通信装置。
【請求項６】
上記調整部は、上記音声に含まれる雑音成分を取り除くことを特徴とする請求項１に記載の通信装置。
【請求項７】
上記調整部は、上記音声の周波数特性を変更することを特徴とする請求項１に記載の通信装置。
【請求項８】
上記調整部は、上記音声に含まれるエコー成分を取り除くことを特徴とする請求項１に記載の通信装置。
【請求項９】
請求項２〜８のいずれか１項に記載の通信装置を動作させるための制御プログラムであって、コンピュータを上記各手段として機能させるための制御プログラム。
【請求項１０】
請求項９に記載の制御プログラムを記録したコンピュータ読み取り可能な記録媒体。
【請求項１１】
音声通信可能に送話側の通信装置と接続する受話側の通信装置であって、
上記送話側の通信装置から送信される音声信号を受信する音声信号受信部と、
上記音声信号受信部が受信する音声信号が示す音声の品質を上記送話側の通信装置において調整することを命じる要求信号を生成する要求信号生成手段と、
上記要求信号生成手段が生成した要求信号を上記送話側の通信装置へ送信する送信部とを備えることを特徴とする通信装置。
【請求項１２】
上記送信部から送信された要求信号に従って上記送話側の通信装置が上記品質を調整したことを示す調整完了信号を受信する調整完了信号受信部と、
上記調整完了信号受信部が調整完了信号を受信した場合に、上記品質の調整が完了したことを使用者に報知する報知部とをさらに備えることを特徴とする請求項１１に記載の通信装置。
【請求項１３】
音声通信可能に互いに接続する送話側および受話側の通信装置を含む通信システムであって、
上記受話側の通信装置は、
上記送話側の通信装置から送信される音声信号を受信する音声信号受信部と、
上記音声信号受信部が受信する音声信号が示す音声の品質を上記送話側の通信装置において調整することを命じる要求信号を生成する要求信号生成手段と、
上記要求信号生成手段が生成した要求信号を上記送話側の通信装置へ送信する要求信号送信部とを備え、
上記送話側の通信装置は、
上記受話側の通信装置へ音声信号を送信する音声信号送信部と、
上記要求信号送信部から送信された上記要求信号を受信する要求信号受信部と、
上記要求信号受信部が受信した要求信号に従って上記音声信号送信部が送信する音声信号が示す音声の品質を調整する調整部とを備えることを特徴とする通信システム。
【請求項１４】
音声通信可能に受話側の通信装置と接続する送話側の通信装置の制御方法であって、
上記受話側の通信装置へ音声信号を送信する音声信号送信工程と、
上記音声信号送信工程において送信する音声信号が示す音声の品質を調整することを命じる要求信号を上記受話側の通信装置から受信する受信工程と、
上記受信工程において受信した要求信号に従って上記品質を調整する調整工程とを含むことを特徴とする制御方法。
【請求項１５】
音声通信可能に送話側の通信装置と接続する受話側の通信装置の制御方法であって、
上記送話側の通信装置から送信される音声信号を受信する音声信号受信工程と、
上記音声信号受信工程において受信する音声信号が示す音声の品質を上記送話側の通信装置において調整することを命じる要求信号を生成する要求信号生成工程と、
上記要求信号生成工程において生成した要求信号を上記送話側の通信装置へ送信する送信工程とを含むことを特徴とする制御方法。
【発明の詳細な説明】
【技術分野】
【０００１】
本発明は音声データを送受信する通信装置に関するものであり、特に送信する音声データの音質特性を調整可能な通信装置に関するものである。
【背景技術】
【０００２】
携帯電話の音声通話について、ＷＣＤＭＡ（Wideband Code Division Multiple Access）等第三世代通信網の普及で音声符号化方式の性能が上り、第二世代通信網と比較して自然な音声通話が行えるようになってきている。その上で、より良い通話性能実現のために、携帯電話に各種の音質向上機能が実装されてきている。
【０００３】
携帯電話の通話音声には、自端末から相手端末に届く送話音声、相手端末から自端末に届く受話音声の２種類がある。そして、その双方の通話音声について、携帯電話の通話における音質向上の対応が検討・実施されている。ここで、従来技術の音質に関連する機能について図８を用いて説明する。図８は、音質向上機能を有する従来の携帯電話の構成を示す機能ブロック図である。
【０００４】
図８に示すように、通信装置１００は、通信部１３０、音声符号化部１１２、デジタル信号処理部１１３、ＡＤ変換部１１４、マイク１１５、音声復号部１２２、デジタル信号処理部１２３、ＤＡ変換部１２４およびスピーカ１２５を備えている。また、通信部１３０は、送信部１３１および受信部１３２を備えている。
【０００５】
通信装置１００は、音声通信網５を介して他の通信装置と通話音声データの送受信を行う。通信装置１００の送話時には、マイク１１５からの音声入力をＡＤ変換部１１４においてデジタルデータ化する。次に、ＡＤ変換部１１４が変換したデジタルデータは、デジタル信号処理部１１３において送話音声の音質を向上させるデジタル処理が実施される。そして、音声符号化部１１２において音声通信システムで規定されている音声符号データに変換し、送信部１３１が無線データとして音声通信網５に送信する。
【０００６】
一方、通信装置１００の受話時には、受信部１３２が音声通信網５から音声符号データを受信し、音声復号化部２２において音声符号データを音声デジタルデータに復号する。次に、デジタル信号処理部１２３において受話音声の音質を向上させるデジタル処理が実施される。そして、ＤＡ変換部１２４においてデジタルデータからアナログデータに変換し、スピーカ１２５から音として出力する。
【０００７】
なお、音質を向上させる処理は、ＡＤ変換部１１４またはＤＡ変換部１２４でも行われる。すなわち、通信装置１００の通話音声の音質を向上させる処理は、送話時には、デジタル信号処理部１１３またはＡＤ変換部１１４が、受話時には、デジタル信号処理部１２３またはＤＡ変換部１２４がそれぞれ行う。通話音声の音質向上に関する処理は、下記のように様々な処理がある。下記において、デジタル信号処理部１１３、ＡＤ変換部１１４、デジタル信号処理部１２３またはＤＡ変換部１２４が行う処理について具体的に説明する。
【０００８】
（１）送話音量調整
送話音量調整とは、通信装置１００の送話時において、相手側の通信装置に送信する送話音声の音量を調整する機能である。通常、送話音量調整機能は通信装置の機種／条件によって固定設定されている。なお、送話音量調整機能は、送話音量制御部１４１および送話音量制御部１４５が有する。
【０００９】
例えば、マナーモードも送話音量調整機能のひとつである。マナーモード設定時には、大きな声で話せない場合に小さな声で話しても、相手側の通信装置において普通の大きさの音量で聞こえるようにする音量調整効果がある。一般に、マナーモード設定のＯＮ／ＯＦＦは通信装置の使用者の選択による。
【００１０】
（２）送話ノイズキャンセラ
送話ノイズキャンセラとは、通信装置１００の送話時において、自端末周辺に雑音のある場合、相手端末に送信する送話音声データの中から雑音成分を取り除く機能である。通常、送話ノイズキャンセラ機能は、通信装置において使用者がＯＮ／ＯＦＦの設定を行う。なお、送話ノイズキャンセラ機能は、送話ノイズキャンセラ処理部１４２が有する。
【００１１】
（３）送話イコライザ
送話イコライザとは、通信装置１００の送話時において、送話音声の周波数特性変換を行う機能である。通常は、通信装置１００に規定された周波数特性に合わせて変換が行われる。通常、送話イコライザ機能は、通信装置の機種／条件によって固定設定されている。なお、送話イコライザ機能は、送話イコライザ処理部１４３が有する。
【００１２】
（４）エコーキャンセラ
自装置から相手側の通信装置へ送信する送話音声に自装置が出力した音の成分が含まれると、エコーが発生する。エコーキャンセラとは、通信装置１００の送話時において、このエコーが発生しないように、送話音声データの中からエコー成分を取り除く機能である。エコーが発生するかどうかは受話音声の音量等に大きく関わっている。このため、エコーキャンセラの処理を送話音声だけではなく、受話音声に対しても行うことがある。例えば、受話音声に対する処理として、受話音声の音量を調整する処理などを行う。通常、エコーキャンセラ機能は、通信装置の機種／条件によって固定設定されている。なお、エコーキャンセラ機能は、エコーキャンセラ処理部１４４およびエコーキャンセラ対応制御部１５４が有する。
【００１３】
（５）受話音量調整
受話音量調整とは、通信装置１００の受話時において、相手側の通信装置から送信される受話音声を調整する機能である。通信装置の使用者が受話音量調整機能を用いて手動で受話音量を制御することもできる。また、送話音声と受話音声とを連動して音量調整する手法もある。なお、受話音量調整機能は、受話音量制御部１５１および受話音量制御部５５が有する。
【００１４】
（６）受話ノイズキャンセラ
受話ノイズキャンセラとは、通信装置１００の受話時において、相手側の通信装置から送信された受話音声データに雑音のある場合、受信した受話音声データの中から雑音成分を取り除く機能である。通常、受話ノイズキャンセラ機能は、通信装置において使用者がＯＮ／ＯＦＦの設定を行う。なお、受話ノイズキャンセラ機能は、受話ノイズキャンセラ処理部１５２が有する。
【００１５】
（７）受話イコライザ
受話イコライザとは、通信装置１００の受話時において、受話音声の周波数特性変換を行う機能である。通常は、通信装置１００に規定された周波数特性に合わせて変換が行われる。通常、受話イコライザ機能は、通信装置の機種／条件によって固定設定されている。なお、受話イコライザ機能は、受話イコライザ処理部１５３が有する。
【００１６】
なお、上述の通話音声の音質向上機能以外に、相手側の通信装置から受信した受話音声データの音量や周波数特性を変更することにより、より聞こえやすい状態とする、受話強調機能と呼ばれる機能もある。さらに、自端末側の周辺ノイズの状態を判定して送話音声および受話音声の周波数や音量の変化量を調整するような手法もある。
【００１７】
また、上述のこれら機能の実現方法については様々な手法がある。本願の趣旨ではないので、通信装置における実現手法の説明は省く。
【００１８】
これら機能を用いて通話音声の音質を向上させる技術として、自端末の送話音声、受話音声をそれぞれ関連して制御する技術が特許文献１に開示されている。特許文献１には、周囲の雑音レベルに応じて、受話音量、送話音量および呼出音量をそれぞれ制御する携帯電話装置が開示されている。
【００１９】
特許文献１に記載の端末での通話において、端末の使用者は受話音声の音質のみに基づいて、送話音声および受話音声を当該端末で調整する。この端末には、受話音声が聞きづらい場合に手元で受話音量を変更する機能、受話ノイズキャンセラや受話音の強調機能等を活用することにより聞こえやすくするための調整機能が存在している。
【００２０】
また、通話音声の品質を向上させる技術として、無線特性の向上に関わる内容や、音声符号化方式の適合等に関わる内容が特許文献２、３に開示されている。特許文献２には、通信中に通信状況を監視し、通信品質の悪化を検出すると通信品質の向上を図る機能を有し、通信品質の判定に関わる設定を通信相手に応じて変更する携帯電話端末が開示されている。
【００２１】
また、特許文献３には、利用者が発呼時あるいは通信中に通信品質レベルを指定すると、該通信品質レベルに適合する符号化方式と符号化制御パラメータとを決定し、該パラメータを相手端末に通知する通信端末が開示されている。従って、特許文献３の通信方法では、自端末および相手端末において、上記パラメータに応じた信号の符号化／復号化が行われ、利用者が指定した通信品質による通信が実行される。
【先行技術文献】
【特許文献】
【００２２】
【特許文献１】特開平１０−３０４０３０号公報（１９９８年１１月１３日公開）
【特許文献２】特開平１０−２５６９７７号公報（１９９８年９月２５日公開）
【特許文献３】特開平６−３７８４５号公報（１９９４年２月１０日公開）
【発明の概要】
【発明が解決しようとする課題】
【００２３】
通信装置の使用者は、通常、受話音声しか品質（音質）を確認できないため、通信装置使用時に通話音声に対する使用者の満足を得るためには、受話音声の音質特性を向上させることの効果が大きい。上述のように従来の通信装置は受話音声の音質特性を向上することができる。しかしながら、自装置の受話音声の品質は、相手側の通信装置が送信する送話音声の品質に大きく依存しているため、送話音声の品質が極端に悪い場合、受話音声の品質を向上させても使用者が通話できる程度の品質にならない場合がある。例えば、相手の声が小さくて聞き取りにくい場合、自端末において受話音声の音量を調整しても使用者が聞き取れる程度の大きさにならない場合がある。この場合、相手側の通信装置が送信する送話音声の音量を大きくする必要がある。
【００２４】
ところが、上記従来の構成では、自装置が相手側の通信装置の音質特性を制御する手段がないため、相手側の通信装置が送信する送話音声の音質特性を向上させることができないという問題が生ずる。例えば、特許文献３に記載の技術では、相手側の通信装置の符号化方式を変更することができるが、相手側の通信装置が送信する送話音声の音量や周波数特性などの音質特性を直接制御することはできない。このため、従来技術では、相手側の通信装置が送信する送話音声の音質特性を向上させたい場合、例えば、大きな声で話してほしいと相手に伝える等、通話によって目的を達成するしかない。
【００２５】
本発明は、上記の問題点を解決するためになされたもので、その目的は、送話側の通信装置が受話側の通信装置に対して送信する送話音声の品質を、受話側の通信装置において調整することができる、送話側および受話側の通信装置、およびこれらの通信装置を含む通信システムを提供することにある。
【課題を解決するための手段】
【００２６】
本発明に係る通信装置は、上記の課題を解決するために、音声通信可能に受話側の通信装置と接続する送話側の通信装置であって、上記受話側の通信装置へ音声信号を送信する音声信号送信部と、上記音声信号送信部から送信する音声信号が示す音声の品質を調整することを命じる要求信号を上記受話側の通信装置から受信する受信部と、上記受信部が受信した要求信号に従って上記品質を調整する調整部とを備えることを特徴としている。
【００２７】
本発明に係る制御方法は、上記の課題を解決するために、音声通信可能に受話側の通信装置と接続する送話側の通信装置の制御方法であって、上記受話側の通信装置へ音声信号を送信する音声信号送信工程と、上記音声信号送信工程において送信する音声信号が示す音声の品質を調整することを命じる要求信号を上記受話側の通信装置から受信する受信工程と、上記受信工程において受信した要求信号に従って上記品質を調整する調整工程とを含むことを特徴としている。
【００２８】
上記の構成によれば、受信部は、自装置から受話側の通信装置へ送信する音声信号が示す音声の品質を調整することを命じる要求信号を受話側の通信装置から受信する。調整部は、受信部が受信した要求信号に従って、受話側の通信装置へ送信する音声信号が示す音声の品質を調整する。そのため、受話側の通信装置は、送話側の通信装置から自装置へ送信される音声信号が示す音声の品質を、送話側の通信装置において調整することができる。
【００２９】
従って、受話側の通信装置において音声信号が示す音声の品質を調整しても通話可能な程度の音声にならない場合でも、送話側の通信装置において音声の品質を調整することができ、音声の品質の調整をより効果的に行うことができる。
【００３０】
また、上記調整部が上記品質の調整を終えた場合に、その旨を示す調整完了信号を生成する調整完了信号生成手段と、上記調整完了信号生成手段が生成した調整完了信号を上記受話側の通信装置へ送信する調整完了信号送信部とをさらに備えることが好ましい。
【００３１】
上記の構成によれば、調整完了信号生成手段は、調整部が、音声信号が示す音声の品質を調整した場合に、当該調整の完了を示す調整完了信号を生成する。調整完了信号送信部は、この調整完了信号を受話側の通信装置へ送信する。そのため、受話側の通信装置は、送話側の通信装置から送信された調整完了信号を受信することによって、自装置が送信した要求信号に従って、送話側の通信装置が音声の品質を調整したかどうかを確認することができる。
【００３２】
また、上記受信部が受信した要求信号が示す要求を使用者に報知する報知部と、使用者から上記要求を実行するかどうかの指示を受け付ける入力部と、上記入力部を介して入力された指示が上記要求を実行しないことを示す場合、上記調整部は、上記要求に応じた上記品質の調整を行わないことが好ましい。
【００３３】
上記の構成によれば、報知部は、要求信号が示す要求を使用者に報知する。これにより、音声の品質を調整する要求が受話側の通信装置から来たことを、送話側の通信装置の使用者に知らせることができる。そして、入力部は、使用者から上記要求を実行するかどうかの指示を受け付ける。そして、入力部が受け付けた指示が上記要求を実行しないことを示す場合、調整部は、上記要求に応じた音声の品質の調整を行わずに、当該要求を受ける以前の品質を維持する。
【００３４】
そのため、送話側の通信装置の使用者は、受話側の通信装置からの要求を実行するかどうかを選択することができる。
【００３５】
また、上記入力部から入力された指示が上記要求を実行しないことを示す場合に、その旨を示す実行不可信号を生成する実行不可信号生成手段をさらに備え、上記実行不可信号生成手段が生成した実行不可信号を上記受話側の通信装置へ送信する実行不可信号送信部をさらに備えることが好ましい。
【００３６】
上記の構成によれば、入力部から入力された指示が上記要求を実行しないことを示す場合に、実行不可信号生成手段は、その旨を示す実行不可信号を生成する。そして、実行不可信号送信部は、上記実行不可信号生成手段が生成した実行不可信号を上記受話側の通信装置へ送信する。
【００３７】
そのため、受話側の通信装置は、送話側の通信装置から送信された実行不可信号を受信することによって、自装置からの要求が受け入れられなかったことを確認することができる。
【００３８】
また、上記調整部は、上記音声の音量を調整することが好ましい。
【００３９】
上記の構成により、受話側の通信装置へ送信する音声信号が示す音声の音量を、受話側の通信装置からの要求に応じて送話側の通信装置において調整することができる。
【００４０】
また、上記調整部は、上記音声に含まれる雑音成分を取り除くことが好ましい。
【００４１】
上記の構成により、受話側の通信装置へ送信する音声信号が示す音声に含まれる雑音成分を、受話側の通信装置からの要求に応じて送話側の通信装置において調整することができる。
【００４２】
また、上記調整部は、上記音声の周波数特性を変更することが好ましい。
【００４３】
上記の構成により、受話側の通信装置へ送信する音声信号が示す音声の周波数特性を、受話側の通信装置からの要求に応じて送話側の通信装置において調整することができる。
【００４４】
また、上記調整部は、上記音声に含まれるエコー成分を取り除くことが好ましい。
【００４５】
上記の構成により、受話側の通信装置へ送信する音声信号が示す音声に含まれるエコー成分を、受話側の通信装置からの要求に応じて送話側の通信装置において調整することができる。
【００４６】
また、上記通信装置を動作させるための制御プログラムであって、コンピュータを上記各手段として機能させるための制御プログラムおよび当該制御プログラムを記録したコンピュータ読み取り可能な記録媒体も本発明の技術的範囲に含まれる。
【００４７】
本発明に係る通信装置は、上記の課題を解決するために、音声通信可能に送話側の通信装置と接続する受話側の通信装置であって、上記送話側の通信装置から送信される音声信号を受信する音声信号受信部と、上記音声信号受信部が受信する音声信号が示す音声の品質を上記送話側の通信装置において調整することを命じる要求信号を生成する要求信号生成手段と、上記要求信号生成手段が生成した要求信号を上記送話側の通信装置へ送信する送信部とを備えることを特徴としている。
【００４８】
本発明に係る制御方法は、上記の課題を解決するために、音声通信可能に送話側の通信装置と接続する受話側の通信装置の制御方法であって、上記送話側の通信装置から送信される音声信号を受信する音声信号受信工程と、上記音声信号受信工程において受信する音声信号が示す音声の品質を上記送話側の通信装置において調整することを命じる要求信号を生成する要求信号生成工程と、上記要求信号生成工程において生成した要求信号を上記送話側の通信装置へ送信する送信工程とを含むことを特徴としている。
【００４９】
上記の構成によれば、音声信号受信部は、送話側の通信装置から送信される音声信号を受信する。要求信号生成手段は、音声信号受信部が受信する音声信号が示す音声の品質を送話側の通信装置において調整することを命じる要求信号を生成する。送信部は、要求信号生成手段が生成した要求信号を送話側の通信装置へ送信する。
【００５０】
そのため、受話側の通信装置は、送話側の通信装置から自装置へ送信される音声信号が示す音声の品質を、送話側の通信装置において調整することができる。
【００５１】
従って、受話側の通信装置において音声信号が示す音声の品質を調整しても、通話可能な程度の音声にならない場合でも、送話側の通信装置において音声の品質を調整することができ、音声の品質の調整をより効果的に行うことができる。
【００５２】
また、上記受話側の通信装置は、上記送信部から送信された要求信号に従って上記送話側の通信装置が上記品質を調整したことを示す調整完了信号を受信する調整完了信号受信部と、上記調整完了信号受信部が調整完了信号を受信した場合に、上記品質の調整が完了したことを使用者に報知する報知部とをさらに備えることが好ましい。
【００５３】
上記の構成によれば、調整完了信号受信部は、自装置から送信された要求信号に従って送話側の通信装置が音声の品質を調整したことを示す調整完了信号を受信する。そして、報知部は、調整完了信号を受信した場合に、その旨を使用者に報知する。
【００５４】
そのため、受話側の通信装置の使用者に対して、自装置からの要求に従って音声の品質が調整されたことを報知することができる。
【００５５】
本発明に係る通信システムは、上記の課題を解決するために、音声通信可能に互いに接続する送話側および受話側の通信装置を含む通信システムであって、上記受話側の通信装置は、上記送話側の通信装置から送信される音声信号を受信する音声信号受信部と、上記音声信号受信部が受信する音声信号が示す音声の品質を上記送話側の通信装置において調整することを命じる要求信号を生成する要求信号生成手段と、上記要求信号生成手段が生成した要求信号を上記送話側の通信装置へ送信する要求信号送信部とを備え、上記送話側の通信装置は、上記受話側の通信装置へ音声信号を送信する音声信号送信部と、上記要求信号送信部から送信された上記要求信号を受信する要求信号受信部と、上記要求信号受信部が受信した要求信号に従って上記音声信号送信部が送信する音声信号が示す音声の品質を調整する調整部とを備えることを特徴としている。
【００５６】
上記の構成によれば、送話側の通信装置の音声信号送信部は、受話側の通信装置へ音声信号を送信する。受話側の通信装置の音声信号受信部は、音声信号送信部から送信される音声信号を受信する。受話側の通信装置の要求信号生成手段は、音声信号受信部が受信する音声信号が示す音声の品質を送話側の通信装置において調整することを命じる要求信号を生成する。この要求信号の生成は、例えば、受話側の通信装置の使用者からの指示を受け付けたことを契機として行われる。要求信号送信部は、生成された要求信号を送話側の通信装置へ送信する。
【００５７】
送話側の通信装置の要求信号受信部は、要求信号送信部から送信された要求信号を受信する。そして、調整部は、受信した要求信号に従って、音声信号送信部が送信する音声信号が示す音声の品質を調整する。
【００５８】
従って、受話側の通信装置において音声信号が示す音声の品質を調整しても、通話可能な程度の音声にならない場合でも、送話側の通信装置において音声の品質を調整することができ、音声の品質の調整をより効果的に行うことができる。
【発明の効果】
【００５９】
以上のように、本発明に係る通信装置は、音声通信可能に受話側の通信装置と接続する送話側の通信装置であって、上記受話側の通信装置へ音声信号を送信する音声信号送信部と、上記音声信号送信部から送信する音声信号が示す音声の品質を調整することを命じる要求信号を上記受話側の通信装置から受信する受信部と、上記受信部が受信した要求信号に従って上記品質を調整する調整部とを備える構成である。
【００６０】
また、本発明に係る制御方法は、音声通信可能に受話側の通信装置と接続する送話側の通信装置の制御方法であって、上記受話側の通信装置へ音声信号を送信する音声信号送信工程と、上記音声信号送信工程において送信する音声信号が示す音声の品質を調整することを命じる要求信号を上記受話側の通信装置から受信する受信工程と、上記受信工程において受信した要求信号に従って上記品質を調整する調整工程とを含む構成である。
【００６１】
また、本発明に係る通信装置は、音声通信可能に送話側の通信装置と接続する受話側の通信装置であって、上記送話側の通信装置から送信される音声信号を受信する音声信号受信部と、上記音声信号受信部が受信する音声信号が示す音声の品質を上記送話側の通信装置において調整することを命じる要求信号を生成する要求信号生成手段と、上記要求信号生成手段が生成した要求信号を上記送話側の通信装置へ送信する送信部とを備える構成である。
【００６２】
また、本発明に係る制御方法は、音声通信可能に送話側の通信装置と接続する受話側の通信装置の制御方法であって、上記送話側の通信装置から送信される音声信号を受信する音声信号受信工程と、上記音声信号受信工程において受信する音声信号が示す音声の品質を上記送話側の通信装置において調整することを命じる要求信号を生成する要求信号生成工程と、上記要求信号生成工程において生成した要求信号を上記送話側の通信装置へ送信する送信工程とを含む構成である。
【００６３】
また、本発明に係る通信システムは、音声通信可能に互いに接続する送話側および受話側の通信装置を含む通信システムであって、上記受話側の通信装置は、上記送話側の通信装置から送信される音声信号を受信する音声信号受信部と、上記音声信号受信部が受信する音声信号が示す音声の品質を上記送話側の通信装置において調整することを命じる要求信号を生成する要求信号生成手段と、上記要求信号生成手段が生成した要求信号を上記送話側の通信装置へ送信する要求信号送信部とを備え、上記送話側の通信装置は、上記受話側の通信装置へ音声信号を送信する音声信号送信部と、上記要求信号送信部から送信された上記要求信号を受信する要求信号受信部と、上記要求信号受信部が受信した要求信号に従って上記音声信号送信部が送信する音声信号が示す音声の品質を調整する調整部とを備える構成である。
【００６４】
それゆえ、送話側の通信装置から受話側の通信装置へ送信される音声信号が示す音声の品質を、送話側の通信装置において調整することができるという効果を奏する。
【図面の簡単な説明】
【００６５】
【図１】本発明の一実施形態に係る送話側通信装置および受話側通信装置の構成の一例を示す機能ブロック図である。
【図２】本発明の一実施形態に係る通信システムの概要を示す図である。
【図３】（ａ）は、送話側通信装置が備えるデジタル信号処理部およびＡＤ変換部の構成を示す機能ブロック図であり、（ｂ）は、上記受話側通信装置が備えるデジタル信号処理部およびＤＡ変換部の構成を示す機能ブロック図である。
【図４】送話音声の音質特性を変更する操作を行う場合の送話側通信装置および受話側通信装置の表示部の表示例を示す図である。
【図５】上記通信システムにおける送話音声の音質特性変更処理の一例を示すシーケンス図である。
【図６】送話音声の音質特性を変更する操作を行う場合の送話側通信装置および受話側通信装置の表示部の別の表示例を示す図である。
【図７】上記通信システムにおける送話音声の音質特性変更処理の別の例を示すシーケンス図である。
【図８】音質向上機能を有する従来の携帯電話の構成を示す機能ブロック図である。
【発明を実施するための形態】
【００６６】
〔実施の形態１〕
本発明の実施の一形態について図１〜図６に基づいて説明すれば、以下のとおりである。まず、本実施形態の通信システム６０の概要について、図２に基づいて説明する。
【００６７】
〔通信システムの概要〕
図２は、通信システム６０の概要を示す図である。同図に示すように、通信システム６０は、送話側通信装置１および受話側通信装置２と、無線基地局３および４と、音声通信網５とを含んでいる。
【００６８】
送話側通信装置１は、音声通信可能に相手装置である受話側通信装置２と接続する送話側の通信装置であり、受話側通信装置２に対して音声データを送信する。この送話側通信装置１は、無線基地局３を介して音声通信網５と接続している。
【００６９】
また、受話側通信装置２は、音声通信可能に相手装置である送話側通信装置１と接続する受話側の通信装置であり、送話側通信装置１から送信された音声データを受信する。この受話側通信装置２は、無線基地局４を介して音声通信網５と接続している。
【００７０】
そして、送話側通信装置１と受話側通信装置２とは、互いに音声通信網５を介して接続されている。このような接続関係の下、送話側通信装置１と受話側通信装置２とは、音声通信網を介して互いに音声データの送受信をしている。
【００７１】
この通信システム６０では、受話側通信装置２の使用者が、受話音声が聞き取りにくいと感じた場合に、受話側通信装置２を介して、送話側通信装置１から受話側通信装置２へ送信される音声データが示す音声の品質を送話側通信装置１に変更することを命じることができる。
【００７２】
なお、送話側通信装置１および受話側通信装置２が、携帯電話機である例を示しているが、本発明の通信装置は、携帯電話機に限定されない。送話側通信装置１および受話側通信装置２は、音声データを送受信するものであればよい。例えば、送話側通信装置１および受話側通信装置２は、固定電話機（例えば、ＩＰ（Internet Protocol）電話機）などの音声通信装置であればよい。また、以下に示す例では、送話側通信装置１、受話側通信装置２は、それぞれ音声データの送信機能、受信機能のみを有しているが、送話側通信装置１は、音声データの受信機能を、受話側通信装置２は、音声データの送信機能をそれぞれ有していてもよい。
【００７３】
〔通信装置の構成〕
次に、送話側通信装置１および受話側通信装置２の構成について、図１に基づいて説明する。図１は、送話側通信装置１および受話側通信装置２の構成の一例を示す機能ブロック図である。
【００７４】
（送話側通信装置１の構成）
図１に示すように、送話側通信装置１は、通信部３０、制御部１０、音声符号化部１２、デジタル信号処理部（調整部）１３、ＡＤ（Analog-to-Digital）変換部（調整部）１４、マイク１５、記憶部１６、操作部（入力部）３３および表示部（報知部）３４を含む。
【００７５】
通信部３０は、受話側通信装置２に音声データおよび後述する調整完了信号を送信する送信部（実行不可信号送信部、音声信号送信部、調整完了信号送信部）３１と、受話側通信装置２から送信された要求信号を受信する受信部（要求信号受信部）３２とを含む。要求信号の詳細については後述する。
【００７６】
マイク１５は、送話側通信装置１の使用者の音声を電気信号（アナログ値）に変換する音声入力部である。マイク１５は、変換したアナログ値の電気信号をＡＤ変換部１４に出力する。
【００７７】
ＡＤ変換部１４は、アナログ値の電気信号をデジタル値の音声データに変換するものである。ＡＤ変換部１４は、変換したデジタル値の音声データをデジタル信号処理部１３に送信する。なお、詳細については後述するが、ＡＤ変換部１４は、送話音声の音量を調整するために、アナログ値の電気信号が示す音声の音量を調整する機能を有する。
【００７８】
デジタル信号処理部１３は、送話音声の品質を向上するために、デジタル値の音声データが示す音声の特性等を調整するものである。デジタル信号処理部１３は、調整した音声データを音声符号化部１２へ送信する。
【００７９】
音声符号化部１２は、デジタル信号処理部１３が処理した音声データを通信システムで規定されている音声符号データに変換するものである。音声符号化部１２は、符号化した音声データを送信部３１に送信する。
【００８０】
記憶部１６は、制御部１０が実行する制御プログラムおよびＯＳプログラム、ならびに、制御部１０が、送話側通信装置１が有する各種機能（要求実行処理機能など）を実行するときに読み出す各種データを記憶するものである。
【００８１】
制御部１０は、送話側通信装置１の動作を統括して制御するものであり、例えばＣＰＵ（Central Processing Unit）等で構成することができる。制御部１０は、例えばＲＡＭ（Random Access Memory）等で構成される一時記憶部（図示しない）を作業領域として動作する。制御部１０は、機能ブロックとしての、要求実行処理部（調整完了信号生成手段、実行不可信号生成手段）１１を備えている。なお、詳細は後述するが、要求実行処理部１１は、使用者から操作部３３を介して入力された指示が、受信部３２で受信した要求信号が示す要求を実行しないことを示す場合、デジタル信号処理部１３またはＡＤ変換部１４に対して上記要求信号に基づく指示を行わない。また、このとき、要求実行処理部１１は、要求信号が示す要求に応じないことを示す実行不可信号を生成し、当該実行不可信号を送信部３１を介して受話側通信装置２に送信する。
【００８２】
要求実行処理部１１は、受信部３２が受信した要求信号に基づいて、デジタル信号処理部１３またはＡＤ変換部１４の音質特性向上機能の処理を変更するものである。要求実行処理部１１は、ＣＰＵが、ＲＯＭ（read only memory）等で実現された記憶部１６に記憶されているプログラムを不図示のＲＡＭ等に読み出して実行することで実現できる。なお、要求実行処理部１１は、デジタル信号処理部１３またはＡＤ変換部１４に対して音声の品質を調整するように指示し、デジタル信号処理部１３またはＡＤ変換部１４が音声の品質の調整を終えた場合に、当該調整が終わったことを示す調整完了信号を生成してもよい。さらに要求実行処理部１１は生成した調整完了信号を、送信部３１を介して受話側通信装置２に送信してもよい。
【００８３】
操作部３３は、使用者が送話側通信装置１に操作入力を行うためのものである。操作部３３は、特に、受信部３２が受信した要求信号が示す要求を実行するかどうかの指示を使用者から受け付けるものである。操作部３３は、例えば、複数の操作キーを備えるものであるが、使用者が所望の操作入力を行えるものであればよく、特に限定されない。
【００８４】
表示部３４は、送話側通信装置１の動作状態または処理内容、特に受信部３２が受信した要求信号が示す要求および要求実行処理部１１の処理内容を使用者に報知するものである。表示部３４は、例えば、液晶表示パネル等のように画像を表示して報知を行うものであってもよいし、ＬＥＤ（Light Emitting Diode）のように点灯、点滅等で報知を行うものであってもよい。また、送話側通信装置１の動作状態または処理内容を使用者に報知する報知部として、音声によって報知するスピーカを設けてもよい。
【００８５】
（受話側通信装置２の構成）
一方、受話側通信装置２は、通信部３５、制御部２０、音声復号部２２、デジタル信号処理部２３、ＤＡ（Digital-to-Analog）変換部２４、スピーカ２５、記憶部２６、操作部３３および表示部３４を含む。送話側通信装置１と同じ機能を有する部材には同じ符号を付与している。既に説明した部材については説明を省略する。
【００８６】
通信部３５は、送話側通信装置１に要求信号を送信する送信部（要求信号送信部）３６と、送話側通信装置１から送信された音声データを受信する受信部（音声信号受信部、調整完了信号受信部）３７とを含む。要求信号の詳細については後述する。また、受信部３７は、送話側通信装置１が要求信号に従って音声の品質を調整したことを示す調整完了信号を送話側通信装置１から受信するものである。
【００８７】
記憶部２６は、制御部２０が実行する制御プログラムおよびＯＳプログラム、ならびに、制御部２０が、受話側通信装置２が有する各種機能（要求信号生成機能など）を実行するときに読み出す各種データを記憶するものである。
【００８８】
制御部２０は、受話側通信装置２の動作を統括して制御するものであり、例えばＣＰＵ等で構成することができる。制御部２０は、例えばＲＡＭ等で構成される一時記憶部（図示しない）を作業領域として動作する。制御部２０は、機能ブロックとしての、要求信号生成部（要求信号生成手段）２１を備えている。
【００８９】
要求信号生成部２１は、ＣＰＵが、ＲＯＭ等で実現された記憶部２６に記憶されているプログラムを不図示のＲＡＭ等に読み出して実行することで実現できる。要求信号生成部２１は、使用者が操作部３３を介して入力した送話音声調整指示に基づいて、送話側通信装置１に送信する要求信号を生成するものである。要求信号生成部２１は、生成した要求信号を送信部３６に送信する。ここで、要求信号とは、送話側通信装置１から受話側通信装置２へ送信する音声信号が示す音声の品質の調整を送話側通信装置１に命じるものである。
【００９０】
音声復号部２２は、受信部３７から送信された音声符号データを復号化し、デジタルデータに変換するものである。音声復号部２２は、復号化した音声データをデジタル信号処理部２３に送信する。
【００９１】
デジタル信号処理部２３は、受話音声の品質を向上するために、デジタル値の音声データが示す音声の品質を調整するものである。デジタル信号処理部２３は、調整したデジタル値の音声データをＤＡ変換部２４へ送信する。
【００９２】
ＤＡ変換部２４は、デジタル信号処理部２３が処理したデジタル値の音声データをアナログ値の電気信号に変換するものである。ＤＡ変換部２４は、変換したアナログ値の電気信号をスピーカ２５に送信する。なお、詳細は後述するが、ＤＡ変換部２４は、アナログ値の電気信号が示す音声の音量（受話音声の音量）を調整する機能を有する。
【００９３】
スピーカ２５は、ＤＡ変換部２４からアナログ値の電気信号を受信し、受信した電気信号を音に変換し、受話側通信装置２の外部に音を出力する音声出力部である。
【００９４】
〔音質特性向上機能〕
送話側通信装置１が備えるデジタル信号処理部１３およびＡＤ変換部１４、受話側通信装置２が備えるデジタル信号処理部２３およびＤＡ変換部２４の構成について、図３（ａ）および（ｂ）に基づいて説明する。図３（ａ）は、デジタル信号処理部１３およびＡＤ変換部１４の構成の一例を示す機能ブロック図である。
【００９５】
（デジタル信号処理部１３の構成）
図３（ａ）に示すように、デジタル信号処理部１３は、送話音量制御部４１、送話ノイズキャンセラ処理部４２、送話イコライザ処理部４３およびエコーキャンセラ処理部４４を含んでいる。
【００９６】
送話音量制御部４１は、送話側通信装置１が受話側通信装置２に送信する音声データが示す音声を、受話側通信装置２において出力するときの音量を調整する。具体的には、送話音量制御部４１は、ＡＤ変換部１４から送られてくる音声データに含まれる、上記音量を示す数値（音量値）を変更する。
【００９７】
送話ノイズキャンセラ処理部４２は、送話側通信装置１のマイク１５に入る音声に、周囲の雑音が含まれている場合、受話側通信装置２に送信する音声の中から雑音成分を取り除く。具体的には、送話ノイズキャンセラ処理部４２は、ＡＤ変換部１４から送られてきた音声データが示す音声の中から雑音成分を取り除く。例えば、送話ノイズキャンセラ処理部４２は、周囲の雑音を検知して当該雑音と逆位相の音声データを作成し、ＡＤ変換部１４から送られてきた音声データに、作成した音声データを加えて雑音を低減する。
【００９８】
また、送話ノイズキャンセラ処理部４２は、不図示のメモリに予め設定されている、雑音の低減率や低減する雑音の周波数領域を示すキャンセル量に基づいて、送話音声に含まれる雑音を低減する。
【００９９】
また、送話ノイズキャンセラ処理部４２の送話ノイズキャンセラ機能を有効にするか無効にするかの切り替えが、要求実行処理部１１によって行われる。
【０１００】
送話イコライザ処理部４３は、送話側通信装置１が送信する送話音声の周波数特性を変更する。具体的には、送話イコライザ処理部４３は、ＡＤ変換部１４から送られてきた音声データに対して、当該音声データが示す音声の周波数特性を変更する。
【０１０１】
例えば、送話イコライザ処理部４３は、音声データに含まれる特定の周波数の音を強調したり、減少させたりする。また、送話イコライザ処理部４３は、特定の周波数帯域の音の周波数を所定のパターンで変更することで、送話音声の周波数特性の変更を行う。例えば、送話イコライザ処理部４３は、所定の周波数を有する音声の周波数を所定量高める。これにより、低くて聞き取り難い声を、高い声に変更することができる。
【０１０２】
エコーキャンセラ処理部４４は、送話側通信装置１から受話側通信装置２へ送信する送話音声に送話側通信装置１が出力した音声の成分が含まれることによってエコーが発生する場合に、エコーが発生しないように、送話音声データの中からエコー成分を取り除く。例えば、エコーキャンセラ処理部４４は、送話側通信装置１が出力した音声と逆位相の音声データを作成し、ＡＤ変換部１４から送られてきた音声データに作成した音声データを加えてエコー成分を低減する。
【０１０３】
このエコーキャンセラ処理部４４は、不図示のメモリに予め設定されている、エコー成分の低減率や低減するエコー成分の周波数領域を示すキャンセル量に基づいて、送話音声に含まれるエコー成分を低減する。
【０１０４】
また、エコー成分を低減する他の処理として、エコーキャンセラ処理部４４は、後述するエコーキャンセラ対応処理部５４から受話音声データを参照信号として受信し、送話音声にエコーが発生しないように、エコーキャンセラ対応処理部５４に対して受話音声の品質の調整をするように指示してもよい。
【０１０５】
（ＡＤ変換部１４の構成）
ＡＤ変換部１４は、送話音量制御部４５を含んでいる。この送話音量制御部４５は、マイク１５に入力された音声の音量を調整するものである。具体的には、送話音量制御部４５は、マイク１５から送られてくるアナログ値の電気信号を増幅または減衰するものである。
【０１０６】
（デジタル信号処理部２３の構成）
図３（ｂ）は、デジタル信号処理部２３およびＤＡ変換部２４の構成の一例を示す機能ブロック図である。同図に示すように、デジタル信号処理部２３は、受話音量制御部５１、受話ノイズキャンセラ処理部５２、受話イコライザ処理部５３およびエコーキャンセラ対応処理部５４を含んでいる。
【０１０７】
受話音量制御部５１は、送話側通信装置１から受話側通信装置２に送信される音声データが示す音声の音量を調整する。具体的には、受話音量制御部５１は、音声復号部２２が復号化した音声データの音量を変更する。なお、受話側通信装置２から送話側通信装置１に音声データを送信する構成の場合には、受話音量制御部５１は、送話側通信装置１に送信する音声データに含まれる音量値を参照して、送話側通信装置１から受信する音声データの音量を調整してもよい。
【０１０８】
受話ノイズキャンセラ処理部５２は、送話側通信装置１から送信された音声データが示す音声に雑音が含まれている場合、当該音声の中から雑音成分を取り除く。具体的には、受話ノイズキャンセラ処理部５２は、音声復号部２２が復号化した音声データが示す音声の中から雑音成分を取り除く。
【０１０９】
より詳細には、受話ノイズキャンセラ処理部５２は、音声復号部２２が復号化した音声データの中から雑音を検知して当該雑音と逆位相の音声データを作成し、音声復号部２２が復号化した音声データに、作成した音声データを加えて雑音を低減する。
【０１１０】
この受話ノイズキャンセラ処理部５２は、不図示のメモリに予め設定されている、雑音の低減率や低減する雑音の周波数領域を示すキャンセル量に基づいて、受話音声に含まれる雑音を調整する。また、受話ノイズキャンセラ処理部５２は、制御部２０によって、受話ノイズキャンセラ機能を有効にするか無効にするかの切り替えが行われる。
【０１１１】
なお、受話側通信装置２は、自装置の周囲の雑音の音量を判定する雑音判定部（図示しない）を含んでいてもよい。そして、受話側通信装置２の周囲の雑音の音量が所定の基準値を超えていると雑音判定部が判定した場合に、受話ノイズキャンセラ処理部５２は、受信した音声データが示す音声の中から雑音成分を取り除いてもよい。
【０１１２】
受話イコライザ処理部５３は、受話側通信装置２が受信した受話音声の周波数特性を変更する。具体的には、受話イコライザ処理部５３は、音声復号部２２が復号化した音声データに対して、当該音声データが示す音声の周波数特性を変更する。
【０１１３】
例えば、受話イコライザ処理部５３は、音声データに含まれる特定の周波数の音を強調したり、減少させたりする。また、受話イコライザ処理部５３は、特定の周波数帯域の音の周波数を所定のパターンで変更することで、受話音声の周波数特性の変更を行う。例えば、受話イコライザ処理部５３は、所定の周波数を有する音声の周波数を所定量高める。これにより、低くて聞き取り難い声を、高い声に変更することができる。
【０１１４】
なお、受話イコライザ処理部５３は、受話側通信装置２から送話側通信装置１に送信する音声データに含まれる、周波数特性を示す数値を参照して、送話側通信装置１から受話側通信装置２に送信される音声データが示す音声の周波数特性を変更してもよい。
【０１１５】
エコーキャンセラ対応処理部５４は、エコーキャンセラ処理部４４の指示を受けて、受話音量制御部５１、受話ノイズキャンセラ処理部５２および受話イコライザ処理部５３が行う各処理を制御するものである。また、エコーキャンセラ対応処理部５４は、受話側通信装置２が出力する音声の音声データをエコーキャンセラ処理部４４へ送信する。
【０１１６】
（ＤＡ変換部２４の構成）
ＤＡ変換部２４は、受話音量制御部５５を含んでいる。この受話音量制御部５５は、ＤＡ変換部２４がアナログ値に変換した電気信号が示す音声の音量を調整するものである。具体的には、受話音量制御部５５は、ＤＡ変換部２４から送られてくるアナログ値の電気信号を増幅または減衰するものである。なお、受話音量制御部５５は、送話側通信装置１に送信する送話音声の音量を参照して、ＤＡ変換部２４から送られてくるアナログ値の電気信号を増幅または減衰してもよい。
【０１１７】
〔送話側通信装置の要求信号に基づく設定変更処理〕
要求実行処理部１１は、要求信号に基づいて、デジタル信号処理部１３またはＡＤ変換部１４の各部材の処理内容を変更する。例えば、送話側通信装置１の受信部３２が、送話音声の音量を大きくする指示を示す要求信号を受信すると、要求実行処理部１１は、その要求信号に基づいて、送話音量制御部４１に対して音声データに含まれる音量値を変更する指示、または、送話音量制御部４５に対して電気信号を増幅させる指示、もしくは、その両方の指示を行う。
【０１１８】
また、送話側通信装置１が送話音声の雑音を少なくする指示を示す要求信号を受信すると、要求実行処理部１１は、その要求信号に基づいて、音声に含まれる雑音成分をより減らすように、送話ノイズキャンセラ処理部４２が参照するキャンセル量の数値を変更する。
【０１１９】
また、送話側通信装置１が送話音声の周波数特性を変更する指示を示す要求信号を受信すると、要求実行処理部１１は、その要求信号に基づいて、送話イコライザ処理部４３に対して、音声データに含まれる特定の周波数の音を強調する、または、減少させるように指示をする。
【０１２０】
また、送話側通信装置１が送話音声に含まれるエコーを少なくする指示を示す要求信号を受信すると、要求実行処理部１１は、その要求信号に基づいて、音声に含まれるエコー成分をより減らすように、エコーキャンセラ処理部４４が参照するキャンセル量の数値を変更する。
【０１２１】
なお、要求実行処理部１１が上述の指示を出す際に、使用者の設定または初期設定によって、送話ノイズキャンセラ処理部４２、送話イコライザ処理部４３およびエコーキャンセラ処理部４４の各機能が無効になっている場合、要求実行処理部１１は、まず各部の機能を有効にする。そして、各部の機能を有効にした状態で、要求実行処理部１１は、要求信号に基づいて、各部に対して指示をする。
【０１２２】
〔通信システム６０における処理の流れ〕
次に、通信システム６０における処理の流れの一例について、図４および図５を参照しつつ説明する。
【０１２３】
以下では、受話音声の音量が極端に小さく、受話側通信装置２において通話可能な程度にまで受話音声の音量を大きくできない場合に、受話側通信装置２が送話側通信装置１に対して要求信号を送信し、送話側通信装置１が送話音声の音量を調整する処理の流れについて説明する。
【０１２４】
図４は、送話音声の音質特性変更処理における送話側通信装置１および受話側通信装置２の表示部３４の表示例を示す図である。図５は、本発明の送話側通信装置１および受話側通信装置２における送話音声の音質特性変更処理の概要を示すシーケンス図である。
【０１２５】
受話側通信装置２の使用者は、受話音声の音量が極端に小さく、受話側通信装置２を操作しても通話可能な程度にまで受話音声の音量が大きくならない場合、受話側通信装置２の操作部３３を操作して、送話側通信装置１の送話音声の音量を大きくするように指示する（Ｓ１）。具体的には、受話側通信装置２の使用者は、図４に示すように、表示部３４に表示される「設定」アイコン７１を順次、押下・選択することにより、送話音声の音量を大きくする指示（音量増加指示と称する）を入力する。例えば、通話中に「設定」アイコン７１を押下し、送話側の送話音声設定のサブメニューを開き、次に、送話側通信装置１の送話音声の音量設定に関する「送話側音量設定」アイコン７２を選択する。そして、送話音声の音量を大きくする「音量を上げる」アイコン７３を順番に選択する。
【０１２６】
受話側通信装置２の使用者が上述のように音量増加指示を入力すると、要求信号生成部２１は、操作部３３を介して入力された音量増加指示を示す要求信号を生成する（Ｓ２）。
【０１２７】
次に、受話側通信装置２の送信部３６は、要求信号生成部２１が生成した要求信号を音声通信網５を介して送話側通信装置１に送信する（Ｓ３）。
【０１２８】
そして、送話側通信装置１の受信部３２は、受話側通信装置２から送信された要求信号を受信する（Ｓ４）。なお、このとき、送話側通信装置１は、受信部３２において要求信号を正常に受信した場合、要求信号を正常に受信したことを示す要求受付信号を、送信部３１から音声通信網５を介して受話側通信装置２に送信してもよい（Ｓ３’およびＳ４’）。また、送話側通信装置１の使用者に要求信号を受信したことを報知するために、制御部１０は、送話側通信装置１の表示部３４に要求信号を正常に受信したことを示すメッセージを表示してもよい。
【０１２９】
送話側通信装置１の受信部３２が要求信号を受信すると、要求実行処理部１１は、その要求信号に基づいて、送話音量制御部４１または送話音量制御部４５に対して、送話音声の音量を大きくするように指示をする（Ｓ５）。指示を受けた送話音量制御部４１または送話音量制御部４５は、送話音声の音量を大きくするように送話音声データを調整する。なお、このとき要求実行処理部１１は、送話音量制御部４１と送話音量制御部４５との両方に送話音声の音量を大きくするように指示してもよい。
【０１３０】
要求実行処理部１１は、送話音声の音量設定の変更が完了すると、表示部３４に、図４に示すように、送話音声の音量設定の変更完了を示すメッセージ７４を表示してもよい。
【０１３１】
次に、要求実行処理部１１は、設定変更完了を示す設定変更完了信号を生成し、送話側通信装置１の送信部３１が設定変更完了信号を音声通信網５を介して受話側通信装置２に送信する（Ｓ６）。
【０１３２】
そして、受話側通信装置２の受信部３７は、送話側通信装置１から送信された設定変更完了信号を受信し、制御部２０は、表示部３４に設定変更完了を示すメッセージを表示する（Ｓ７）。
【０１３３】
なお、上述のステップＳ５において、要求実行処理部１１は、送話音声の音量設定の変更が完了しても、表示部３４に変更完了したことを表示しなくてもよい。つまり、要求実行処理部１１は、送話側通信装置１の使用者に知らせずに、要求信号に基づいて設定変更を完了してもよい。
【０１３４】
〔通信システム６０における処理の別の流れ〕
次に、通信システム６０における処理の別の流れの一例について、図６および図７を参照しつつ説明する。
【０１３５】
以下では、送話側通信装置１が要求信号を受信した際に、送話側通信装置１の使用者が要求信号に基づく設定変更の実行可否を選択可能な場合の送話側通信装置１および受話側通信装置２の処理について説明する。
【０１３６】
図６は、送話音声の音質特性変更処理における送話側通信装置１および受話側通信装置２の表示部３４の表示例を示す図である。図７は、本発明の送話側通信装置１および受話側通信装置２における送話音声の音質特性変更処理について、送話側通信装置１の使用者が設定変更実行不可を入力する場合の概要を示すシーケンス図である。
【０１３７】
上述の処理の流れと同様に、受話側通信装置２の受話音声が極端に小さく、受話側通信装置２を操作しても通話可能な程度にまで受話音声の音量が大きくならない場合に、受話側通信装置２の使用者が受話側通信装置２の操作部３３を操作して、送話側通信装置１の送話音声の音量を大きくするように指示する場合を考える。
【０１３８】
図７のＳ１１〜Ｓ１４は図５のＳ１〜Ｓ４と同様の処理を行う。つまり、図６に示すように、受話側通信装置２の使用者は、送話側通信装置１の送話音声の音量を大きくするように操作部３３を介して音量増加指示を入力し、受話側通信装置２が音声通信網５を介して送話側通信装置１に要求信号を送信する。
【０１３９】
送話側通信装置１が要求信号を受信すると、制御部１０は、図６に示すように、受話側通信装置２から送話音声の音量を上げる要求が来たことを示すメッセージ７５を表示部３４に表示させる（Ｓ１５）。送話側通信装置１の使用者は、表示部３４に示されたメッセージ７５を確認して、受話側通信装置２からの要求を実行するか否かを選択する。
【０１４０】
ここで、送話側通信装置１の使用者によって、受話側通信装置２からの要求に応じる指示が操作部３３を介して入力された場合（図６に示すＹＥＳアイコン７６を使用者が押下した場合）、要求実行処理部１１は、送話音量制御部４１または送話音量制御部４５に送話音声の音量を大きくするように指示する。
【０１４１】
一方、送話側通信装置１の使用者によって、受話側通信装置２からの要求に応じない指示が操作部３３を介して入力された場合（図６に示すＮＯアイコン７７を使用者が押下した場合、図７のＳ１６）、要求実行処理部１１は、受話側通信装置２からの要求に応じない（要求を実行しない）ことを示す実行不可信号を生成する。そして、送話側通信装置１の送信部３１は、実行不可信号を音声通信網５を介して受話側通信装置２に送信する（Ｓ１７）。
【０１４２】
そして、受話側通信装置２の受信部３７は、送話側通信装置１から送信された設定変更不許可信号を受信し、受話側通信装置２は、設定変更が許可されなかった旨を示すメッセージを表示部３４に表示する（Ｓ１７）。
【０１４３】
〔変形例〕
上述の実施例では、使用者が受話側通信装置２の操作部３３を操作して送話音声の音量設定を変更する旨の指示を入力して、要求信号生成部２１が要求信号を生成していたが、これに限るものではない。例えば、受話音声データの値に対して或る条件を満たすかどうかを判定して、条件を満たさない場合に、要求信号生成部２１が要求信号を生成してもよい。このとき、上記判定処理は、受話側通信装置２の受信部３７が受話音声データを音声復号部２２に送信してからスピーカ２５が受話音声データを受信するまでに行う。また、上記判定処理を行う部材を判定部（図示しない）と称する。
【０１４４】
ここで、或る条件とは、例えば、受話音声の音量が所定の範囲内である、受話音声の雑音レベルが所定の基準値以下である、受話音声に含まれるエコー成分が所定の基準値以下である、受話音声の周波数特性が所定の範囲内であるなどが挙げられる。なお、上記の「所定の範囲内」および「所定の基準値」は、任意に設定可能である。
【０１４５】
このように、上記判定部が受話側通信装置２の受信した受話音声データを判定することによって、受話側通信装置２の使用者が判断して操作せずに、送話側通信装置１に対して要求信号を送信することができる。そのため、送話側通信装置１が要求信号に従って送話音声の音質特性を変更した場合、受話側通信装置２は、自動的に通話可能な程度の受話音声を音として出力することができる。
【０１４６】
〔補足〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【０１４７】
また、上述した送話側通信装置１および受話側通信装置２の各ブロック、特に要求実行処理部１１、要求信号生成部２１は、ハードウェアロジックによって構成してもよいし、次のようにＣＰＵを用いてソフトウェアによって実現してもよい。
【０１４８】
すなわち、送話側通信装置１および受話側通信装置２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである送話側通信装置１および受話側通信装置２の制御プログラム（要求実行プログラム）のプログラムコード（実行形式プログラム、中間コードプログラム、ソースプログラム）をコンピュータで読み取り可能に記録した記録媒体を、上記送話側通信装置１および受話側通信装置２に供給し、そのコンピュータ（またはＣＰＵやＭＰＵ）が記録媒体に記録されているプログラムコードを読み出し実行することによっても、達成可能である。
【０１４９】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１５０】
また、送話側通信装置１および受話側通信装置２を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５１】
〔本発明の別の表現〕
なお、本発明は、以下のようにも表現できる。
【０１５２】
すなわち、本発明に係る通信システムは、複数の通信端末を収容する通信システムにおいて、前記通信端末は発呼時あるいは通話中において、ネットワークにより送話音量設定や送話ノイズキャンセラ設定やエコーキャンセラ設定や送話イコライザ設定が指定されると、指定に応じた設定での動作となる。そのための構成として、前記通信端末は無線部の処理を行う無線処理ブロックと、音声信号の符号化・復号化を行う音声符号処理ブロックと、音声信号のデジタル加工を行うデジタル信号処理ブロックと、音声信号をアナログ信号に変換する音声アナログ処理ブロックと、音声の入出力デバイスと、システムからの要求制御部と、上記要求制御部により送話デジタル信号処理部あるいはアナログ入力・ＡＤ変換部の設定を変更するインタフェースを有することを特徴としている。
【０１５３】
また、本発明に係る通信システムは、相手側の端末、およびシステムから設定完了通知を送信し、操作者端末側で確認を可能とする手段を有することが好ましい。
【０１５４】
また、本発明に係る通信システムは、通信端末は、ネットワークからの設定要求に対し、設定可否選択のインタフェースを有することが好ましい。
【０１５５】
また、本発明に係る通信システムは、通信端末で設定不可とする場合に、ネットワークに設定不可の情報を伝える手段を有することが好ましい。
【産業上の利用可能性】
【０１５６】
本発明は、自装置の送話音声の音質特性を変更可能な、音声データを送受信する通信装置、特に携帯電話機、または、自装置の送話音声の音質特性を変更可能な送話側通信装置と受話側通信装置が互いに音声データを送受信することが可能な通信システムに利用することができる。
【符号の説明】
【０１５７】
１    送話側通信装置（送話側の通信装置）
２    受話側通信装置（受話側の通信装置）
１１  要求実行処理部（調整完了信号生成手段、実行不可信号生成手段）
１３  デジタル信号処理部（調整部）
１４  ＡＤ変換部（調整部）
１６  記憶部
２１  要求信号生成部（要求信号生成手段）
３１  送信部（調整完了信号送信部、実行不可信号送信部、音声信号送信部）
３２  受信部（要求信号受信部）
３３  操作部（入力部）
３４  表示部（報知部）
３６  送信部（要求信号送信部）
３７  受信部（音声信号受信部、調整完了信号受信部）
【図１】
2010273017.tif 000003
【図２】
2010273017.tif 000004
【図３】
2010273017.tif 000005
【図４】
2010273017.tif 000006
【図５】
2010273017.tif 000007
【図６】
2010273017.tif 000008
【図７】
2010273017.tif 000009
【図８】
2010273017.tif 000010